(57)【特許請求の範囲】
【請求項１】
矩形状をなす底面部の縁から正面部、一対の側面部および背面部を立設した箱本体を備え、該箱本体の開放した上部を蓋体により閉塞するとともに、前記背面部に前記箱本体内に位置する収納部を設けた紙製のカートンにおいて、
前記底面部、正面部、側面部、背面部、蓋体および収納部は、一枚の連続した打抜製品からなり、
前記底面部の一端縁に前記正面部が連続するとともに、他端縁に前記蓋体が連続し、かつ、両側端縁に前記側面部がそれぞれ連続し、これら側面部に前記背面部の構成部がそれぞれ連続しており、
前記背面部の各構成部に、互いに組み合わせるための引掛部を設けるとともに、一方の構成部に、前記収納部を連続して設け、
前記収納部が連続した前記構成部に差込穴を設けるとともに前記収納部に差込片を設け、前記収納部を、連続した前記構成部に対して折り曲げて前記差込片を前記差込穴に差し込むことにより形成するようにしたことを特徴とするカートン。
【発明の詳細な説明】
【０００１】
【発明の属する技術分野】
本発明は、ケーキなどの熱に弱い商品や、付属させる物品が存在する商品などを収容するカートンに関するものである。
【０００２】
【従来の技術】
食品などの商品を収容するためのカートンは、矩形状をなす底面部の縁から正面部、背面部、および、一対の側面部を立設した箱本体を備え、この箱本体の開放した上部を蓋体により閉塞するものである。そして、夏場などの暑い時期に、このカートンに商品としてケーキを収容する場合には、ゲル体または水を凍結させた保冷剤を一緒に収容させている。この際、保冷剤は、内部で自由に動ける状態で収容させるとケーキに当たって変形するため、両面テープを利用し、蓋体などの所定位置に固定される。
【０００３】
【発明が解決しようとする課題】
しかしながら、前記保冷剤をカートンの所定位置に貼着して固定する作業は、非常に煩わしく、時間がかかる。そのため、来店中のお客を待たせて迷惑をかけるとともに、人件費の増大に繋がる。
【０００４】
そこで、本発明では、生産コストが高くなることなく、商品に付属させる物品を簡単に収納可能なカートンを提供することを課題とするものである。
【０００５】
【課題を解決するための手段】
前記課題を解決するため、本発明のカートンは、矩形状をなす底面部の縁から正面部、一対の側面部および背面部を立設した箱本体を備え、該箱本体の開放した上部を蓋体により閉塞するとともに、前記背面部に前記箱本体内に位置する収納部を設けた紙製のカートンにおいて、前記底面部、正面部、側面部、背面部、蓋体および収納部は、一枚の連続した打抜製品からなり、前記底面部の一端縁に前記正面部が連続するとともに、他端縁に前記蓋体が連続し、かつ、両側端縁に前記側面部がそれぞれ連続し、これら側面部に前記背面部の構成部がそれぞれ連続しており、前記背面部の各構成部に、互いに組み合わせるための引掛部を設けるとともに、一方の構成部に、前記収納部を連続して設け、前記収納部が連続した前記構成部に差込穴を設けるとともに前記収納部に差込片を設け、前記収納部を、連続した前記構成部に対して折り曲げて前記差込片を前記差込穴に差し込むことにより形成する構成としている。
【０００６】
前記カートンによれば、背面部に収納部が設けられているため、その内部に保冷剤や付属させる物品を簡単に収納できる。
【０００８】
また、前記収納部は、従来では打ち落としにより廃棄していた部分を利用して一体に形成されるため、カートン自体の生産コストが増加することはない。さらに、収納部は、構成部に対して折り曲げて差込片を差込穴に差し込むことにより形成されるため、紙自身が有する弾性力により開いた状態とすることができる。よって、付属させる物品の収納作業性を向上できる。
【０００９】
【発明の実施の形態】
以下、本発明の実施の形態を図面に従って説明する。
図１は、本発明の実施形態に係るカートン１を示す。このカートン１は、箱本体２と、該箱本体２の開放した上部を閉塞する蓋体３と、前記箱本体２内に位置するように形成した収納部３２とを備えている。
【００１０】
前記カートン１は、周知の紙器打抜装置（図示せず）によってボール紙を打ち抜くことにより、図２に示す一枚の連続した展開状態で成形され、この打抜製品の所定部位を糊付けし、所定位置を折り曲げることにより形成される。具体的には、前記打抜製品は、図２に示すように、大略、箱本体２を構成する矩形状をなす底面部１０、正面部１１、一対の側面部１３および背面部１７の構成部１８Ａ，１８Ｂと、蓋体３の構成部と、収納部３２の構成部とを備えている。
【００１１】
前記正面部１１は、底面部１０の一端縁（図２中、下端縁）に連続しており、その境界部分には肉厚を圧縮して表面を窪ませた折曲線１２が設けられている。
【００１２】
前記側面部１３は、底面部１０の両側端縁に連続しており、その境界部分には折曲線１４が設けられている。また、この側面部１３には、その外側端縁に折曲線１５を介してフラップ１６が設けられている。
【００１３】
前記背面部１７は、２分割した構成部１８Ａ，１８Ｂを組み合わせて形成される。これら構成部１８Ａ，１８Ｂは、図２中、側面部１３の上端縁に連続しており、その境界部分には折曲線１９が設けられている。本実施形態では、右側の構成部１８Ａには、構成部１８Ｂと組み合わせるための引掛部２０が略逆Ｊ字形状に設けられている。この引掛部２０は、組立状態でスリット２０ａが上側から垂直下向きに延びるように形成されている。また、構成部１８Ａには、後述する収納部３２を組立状態に保持するため、スリットからなる差込穴２１が設けられている。左側の構成部１８Ｂには、前記引掛部２０と噛み合わせて組み付ける引掛部２２が略Ｊ字形状に設けられている。この引掛部２２は、組立状態でスリット２２ａが下側から垂直上向きに延びるように形成されている。そして、これら構成部１８Ａ，１８Ｂは、引掛部２０，２２を組み合わせて各スリット２０ａ，２２ａの下端と上端とを当接させると、各構成部１８Ａ，１８Ｂの上端縁が直線上に一致する。
【００１４】
本実施形態では、前記側面部１３の下端縁には、前記正面部１１を連結するとともに補強材の役割をなす連結部２３が設けられている。この連結部２３と側面部１３との境界部分には折曲線２４が設けられている。また、連結部２３には、底面部１０の隅部から対角に向けて延びる折曲線２５が設けられている。さらに、この折曲線２５上には、所定間隔をもって太線で示す切断部２６が設けられ、折曲線２５に沿って折り曲げる際の作業性、折り曲げ状態の維持、および、展開時の切断作業性の向上を図っている。
【００１５】
前記蓋体３は、前記底面部１０において、正面部１１と反対の他端縁（図２中、上端縁）に連続しており、その境界部分には折曲線２７が設けられている。この蓋体３は、構成部１８Ａ，１８Ｂを組み合わせてなる背面部１７の外側を覆う背面被覆部２８と、箱本体２の開放した上部を覆う上面被覆部２９と、正面部１１の外側を覆う正面被覆部３０とを備えている。そして、これらの境界部分には折曲線３１が設けられている。
【００１６】
前記収納部３２は、前記背面部１７の構成部１８Ａに連続しており、その境界部分には折曲線３３が設けられている。この収納部３２には、その先端に前記構成部１８Ａの差込穴２１に差し込んで組立状態を保持する差込片３４が略逆Ｊ字形状に設けられている。この差込片３４は、組立状態でスリット３４ａが下側から垂直上向きに延びるように形成されている。また、この収納部３２には、前記スリット３４ａの端部から同一直線上に延びる折曲線３５が設けられている。さらに、この収納部３２には、内部に保冷剤を収納した際に、その冷気を箱本体２内に流動させるための開口３６が設けられている。
【００１７】
前記構成の打抜製品は、右側の側面部１３から中央の蓋体３の縁に沿って構成部１８Ａおよび収納部３２が細長く延びている。そのため、蓋体３と構成部１８Ａ、および、蓋体３と収納部３２の一部に約１ｍｍ程度の非切断部３７を設け、連続状態を維持できるようにしている。
【００１８】
ここで、前記収納部３２を形成した蓋体３の横の部分は、従来では打ち落としにより廃棄していた部分である。そして、本実施形態では、その破棄部分を利用して収納部３２を一体に形成している。そのため、カートン１を構成するために紙を余分に使用することはない。そのため、カートン１の生産コストが増加することはない。
【００１９】
前記打抜製品は、製造メーカにて前記連結部２３における折曲線２５を境界とし、正面部１１の側２３ａを正面部１１の裏面（図２中、表面）に糊付けし、この状態で所定の販売店に納品される。この際、本実施形態では、前述のように、長く延びる構成部１８Ａおよび収納部３２の所定位置を蓋体３に連続させているため、これら構成部１８Ａおよび収納部３２が糊付け作業の邪魔になることはない。
【００２０】
一方、販売店にて前記打抜製品を組み立てて使用する場合には、例えば、前記非切断部３７を切断して蓋体３と構成部１８Ａおよび収納部３２を離間させる。その後、折曲線１２，１４に沿って正面部１１および一対の側面部１３を折り曲げ、底面部１０の縁から立設させる。
【００２１】
また、折曲線１９に沿って構成部１８Ａ，１８Ｂを折り曲げる。この際、収納部を形成した構成部１８Ａの背面に構成部１８Ｂを位置させ、各引掛部２０，２２を噛み合わせることにより、底面部１０の背面側の縁から立設する背面部１７が形成される。これにより、底面部１０の縁から囲繞する面を立設した箱本体２が形成される。
【００２２】
さらに、折曲線３３，３５に沿って収納部３２および該収納部３２の差込片３４を折り曲げ、差込片３４を構成部１８Ａの差込穴２１に差し込む。これにより、箱本体２内に位置する収納部３２が形成される。
【００２３】
このようにしてカートン１を組み立てると、販売店では、箱本体２内に希望の商品を収容させるとともに、折曲線２７，３１に沿って蓋体３を折り曲げ、箱本体２を背面側から正面側にかけて覆うように閉塞する。
【００２４】
ここで、前記商品がケーキなどの熱に弱い商品である場合には、保冷剤を前記収納部３２に収納させる。この際、前記収納部３２は、図１に示すように、カートン１を構成するボール紙自身が有する弾性力により、収納部３２の上端開口が開いた状態になる。そのため、付属させる保冷剤を簡単に収納できる。しかも、本実施形態では、組み立てたカートン１の背面は、構成部１８Ａ，１８Ｂからなる背面部１７と蓋体３の背面被覆部２８とで２層構造となっている。そのため、保冷剤の表面に結露水が生じ、その水が表面まで滲み出ることにより外観を悪くすることを抑制できる。
【００２５】
なお、本発明のカートン１は前記実施形態の構成に限定されるものではない。
例えば、前記実施形態では、収納部３２を背面部１７の略中央に位置するように形成したが、左右いずれかの隅部に位置するように形成してもよい。
【００２６】
また、収納部３２に収納させる物品は保冷剤に限られず、ケーキに付属させる蝋燭でもよい。さらに、このカートン１に収容させる商品はケーキに限られず、種々の商品の包装用として利用できる。
【００２７】
【発明の効果】
以上の説明から明らかなように、本発明のカートンは、背面部に収納部が設けられているため、その内部に保冷剤などの物品を簡単に収納できる。そのため、来店中のお客を待たせて迷惑をかけることはないうえ、作業性がよいため人件費の削減に繋がる。また、この収納部は、従来では打ち落としにより廃棄していた部分を利用して一体に形成されているため、カートン自体の生産コストが増加することはない。
【図面の簡単な説明】
【図１】  本発明の実施形態に係るカートンを示す斜視図である。
【図２】  図１のカートンを組み立てる前の状態を示す平面図である。
【符号の説明】
１…カートン、２…箱本体、３…蓋体、１０…底面部、１１…正面部、１３…側面部、１６…フラップ、１７…背面部、１８Ａ，１８Ｂ…構成部、２０…引掛部、２１…差込穴、２２…引掛部、２３…連結部、２８…背面被覆部、２９…上面被覆部、３０…正面被覆部、３２…収納部、３４…差込片、３６…開口。
【図１】
0004647141.tif 000002
【図２】
0004647141.tif 000003